(57)【要約】【課題】保守点検作業にかかる作業性を向上させるとともに、本体のコストアップが十分に抑えられる自動機を提供する。【解決手段】表示・操作部１２が、操作画面を表示する表示器１２ａの画面上に貼付したタッチパネル１２ｂの押下位置が属する画面上の領域を検知し、ここで検知した領域に応じて機器本体に対する入力の種類を判断する。表示器１２ａは、本体に対して開閉自在に取り付けた上部扉１８ａに取り付けている。扉開閉検知部１８は、この表示器１２ａを取り付けた上部扉１８ａの開閉状態を検知する。機器本体内部の保守点検作業を行うときには、この上部扉１８ａを開し、本体内部の動作を目視で確認する。また、表示・操作部１２は、扉開閉検知部１８が上部扉１８ａの開状態を検知しているときには、タッチパネル１２ｂの押下位置について、最大で、表示器１２ａの画面を縦方向に２分割、横方向に２分割した合計４つの領域のいずれであるかを検知する。【選択図】図１
2011258116.tif 000002
【特許請求の範囲】
【請求項１】
操作画面を表示器に表示する表示手段と、
前記表示器の画面上に貼付したタッチパネルの押下位置が属する画面上の領域を検知し、ここで検知した領域に応じて、機器本体に対する入力の種類を判断する入力操作手段と、
前記表示器を取り付けた扉の開閉状態を検知する開閉検知手段と、を備え、
前記入力操作手段は、前記開閉検知手段が前記扉の開状態を検知しているときには、タッチパネルの押下位置について、最大で、前記表示器の画面を縦方向に２分割、横方向に２分割した合計４つの領域のいずれであるかを検知する、自動機。
【請求項２】
前記入力操作手段は、前記開閉検知手段が前記扉の開状態を検知しているときには、予め定めた時間内に、タッチパネルが押下された回数をカウントし、該回数も用いて機器本体に対する入力の種類を判断する、請求項１に記載の自動機。
【請求項３】
前記開閉検知手段が前記扉の開状態を検知しているときには、前記入力操作手段が判断した機器本体に対する入力の種類を音声で報知する報知手段を備えた請求項１、または２に記載の自動機。
【請求項４】
操作画面を表示器に表示する表示手段と、
前記表示器の画面上に貼付したタッチパネルの押下位置が属する画面上の領域を検知し、ここで検知した領域に応じて、機器本体に対する入力の種類を判断する入力操作手段と、
前記表示器を取り付けた扉の開閉状態を検知する開閉検知手段と、を備え、
前記入力操作手段は、前記開閉検知手段が前記扉の開状態を検知しているときには、タッチパネルの押下位置について、前記表示器の画面全体を所定数に分割したいずれの領域であるかを検知する、自動機。
【発明の詳細な説明】
【技術分野】
【０００１】
この発明は、操作者による機器本体に対する入力を、表示器の画面上に貼付したタッチパネルで検知する自動機に関し、特に表示器を機器本体に対して開閉する扉に取り付けた自動機に関する。
【背景技術】
【０００２】
従来、表示器の画面上にタッチパネルを貼付し、操作者が押下した画面上の位置を検知することにより、機器本体に対する入力の種類を判断する自動機がある。例えば、金融機関の店舗に設置されている現金自動預け払い機（以下、ＡＴＭと言う。）や両替機、病院に設置されている精算機がある。
【０００３】
また、この種の自動機では、本体に対して開閉自在に取り付けた扉を開して、本体内部の保守点検作業を行う。このため、画面上にタッチパネルを貼付した表示器を保守点検作業時に開する扉に取り付けている自動機では、保守作業員は、保守点検にかかる入力操作を行うときに、開した扉を表示器の画面が覗き込める位置まで戻さなければならず、保守点検作業が煩雑になる。
【０００４】
そこで、表示器を扉から取り外すことができる自動機が提案されている（特許文献１参照）。この自動機では、保守点検作業時に開した扉から表示器を取り外すことにより、保守点検にかかる入力操作が、本体内部の動作を目視確認しながら手元で行える。
【０００５】
また、自動機本体と無線で通信する携帯端末で、保守点検にかかる入力操作が行える自動機も提案されている（特許文献２参照）。
【先行技術文献】
【特許文献】
【０００６】
【特許文献１】特開平７−３７１２４号公報
【特許文献２】特開２００９−４３０４１号公報
【発明の概要】
【発明が解決しようとする課題】
【０００７】
しかしながら、上述の特許文献１や２の構成では、自動機本体のコストアップという問題があった。
【０００８】
例えば、特許文献１の構成では、扉に対して表示器を着脱自在にするための機構部が必要になり、自動機本体のコストアップをまねく。
【０００９】
また、特許文献２の構成では、携帯端末や、この携帯端末と無線通信を行うための通信部が必要になり、その結果、自動機本体のコストアップをまねく。
【００１０】
この発明の目的は、保守点検作業にかかる作業性を向上させるとともに、本体のコストアップが十分に抑えられる自動機を提供することにある。
【課題を解決するための手段】
【００１１】
この発明の自動機は、上記課題を解決し、その目的を達するために、以下のように構成している。
【００１２】
入力操作手段が、操作画面を表示する表示器の画面上に貼付したタッチパネルの押下位置が属する画面上の領域を検知し、ここで検知した領域に応じて、機器本体に対する入力の種類を判断する。表示器は、本体に対して開閉自在に取り付けた扉に取り付けている。開閉検知手段は、この表示器を取り付けた扉の開閉状態を検知する。機器本体内部の保守点検作業を行うときに、この扉を開し、本体内部の動作を目視で確認する。
【００１３】
入力操作手段は、開閉検知手段が扉の開状態を検知しているときには、タッチパネルの押下位置について、最大で、表示器の画面を縦方向に２分割、横方向に２分割した合計４つの領域のいずれであるかを検知する。
【００１４】
すなわち、保守点検作業等で、扉を開しているときには、機器本体に対する入力操作が、最大で表示器の画面を４つに分割した領域のいずれかを選択的に押下することにより行える。このため、保守作業員は、表示器の画面をみなくても、機器本体に対する入力操作が感覚的に行える。したがって、保守作業員は、保守点検にかかる入力操作を行うときに、開した扉を表示器の画面が覗き込める位置まで戻す必要がなく、保守点検作業が煩雑になるのを防止できる。また、機器本体に特別な構成を設けることなく、ソフトウェアで対応できるので、機器本体のコストアップも十分に抑えられる。
【００１５】
また、入力操作手段を、前記開閉検知手段が前記扉の開状態を検知しているときには、予め定めた時間内に、タッチパネルが押下された回数をカウントし、該回数も用いて機器本体に対する入力の種類を判断する構成としてもよい。これにより、機器本体に対する入力の種類の総数よりも、表示器の画面の分割数が抑えられる。
【００１６】
また、開閉検知手段が前記扉の開状態を検知しているときには、入力操作手段が判断した機器本体に対する入力の種類を音声で報知する報知手段を設けてもよい。このように構成すれば、保守作業員は、保守点検にかかる入力操作が正しく行えているかどうかについての確認が容易に行える。
【００１７】
さらに、入力操作手段を、開閉検知手段が扉の開状態を検知しているときには、タッチパネルの押下位置について、表示器の画面全体を所定数に分割したいずれの領域であるかを検知する構成に置き換えてもよい。
【発明の効果】
【００１８】
この発明によれば、保守点検作業にかかる作業性を向上させるとともに、本体のコストアップが十分に抑えられる。
【図面の簡単な説明】
【００１９】
【図１】現金自動預け払い機の主要部の構成を示すブロック図である。
【図２】現金自動預け払い機の外観を示す概略図である。
【図３】現金自動預け払い機の外観を示す概略図である。
【図４】表示器における操作案内画面例を示す図である。
【図５】表示器における操作案内画面例を示す図である。
【図６】保守点検時における識別コードの入力画面例を示す図である。
【図７】上部扉が開状態であるときの、画面の分割を説明する図である。
【図８】上部扉が開状態であるときの、画面の分割を説明する図である。
【図９】上部扉が開状態であるときの、画面の分割を説明する図である。
【図１０】上部扉が開状態であるときの、画面の分割を説明する図である。
【発明を実施するための形態】
【００２０】
以下、この発明の実施形態について説明する。
【００２１】
図１は、この発明の実施形態である現金自動預け払い機の主要部の構成を示すブロック図である。図２、および図３は、この現金自動預け払い機の外観を示す概略図である。図２は、運用時等で、上部扉１８ａおよび下部扉１８ｂを閉している状態であり、図３は、保守点検時等で、上部扉１８ａおよび下部扉１８ｂを開している状態である。
【００２２】
この現金自動預け払い機１（以下、ＡＴＭ１と言う。）は、金融機関やコンビニエンスストア等の店舗に設置される。ＡＴＭ１は、金融機関に開設されている口座に対する入金取引、出金取引等の各種取引を利用者の入力操作に応じて処理する。
【００２３】
ＡＴＭ１は、主制御部１１と、表示・操作部１２と、紙幣処理部１３と、硬貨処理部１４と、カード・明細書処理部１５と、通帳処理部１６と、生体情報読取部１７と、扉開閉検知部１８と、報知部１９と、通信部２０と、を備えている。
【００２４】
主制御部１１は、ＡＴＭ１本体各部の動作を制御する。
【００２５】
表示・操作部１２は、本体正面に設けた表示器１２ａ、およびこの表示器１２ａの画面上に貼付したタッチパネル１２ｂを有している。表示・操作部１２は、利用者に対する操作案内画面等を表示器１２ａに表示する。また、表示・操作部１２は、タッチパネル１２ｂの押下位置を検知することにより、装置本体に対する入力の種類を判断する。表示・操作部１２は、例えば、図４に示す取引の種別選択画面や、図５に示す暗証番号入力画面を表示器１２ａに表示し、タッチパネル１２ｂの押下位置を検知することにより、利用者の入力の種類を判断する。
【００２６】
紙幣処理部１３は、入出金紙幣を処理する。本体正面には、入出金紙幣を収納する紙幣入出金口１３ａを設けている。この紙幣入出金口１３ａには、シャッタが設けられている。また、紙幣入出金口１３ａには、入金紙幣、出金紙幣、および返却紙幣の収納場所を区別する仕切り板が設けられている。紙幣処理部１３は、このシャッタを開閉することにより、紙幣入出金口１３ａに対する利用者による紙幣の投入や取り出しを制限する。
【００２７】
また、紙幣処理部１３は、本体内部にセットしている金種別紙幣カートリッジと、紙幣入出金口１３ａと、の間に形成した紙幣搬送路に沿って紙幣を搬送する紙幣搬送部や、紙幣搬送路に沿って搬送している紙幣の金種、および真偽を識別する紙幣識別部等を有している。
【００２８】
硬貨処理部１４は、入出金硬貨を処理する。本体正面には、入出金硬貨を収納する硬貨入出金口１４ａを設けている。この硬貨入出金口１４ａには、シャッタが設けられている。硬貨処理部１４は、このシャッタを開閉することにより、硬貨入出金口１４ａに対する利用者による硬貨の投入や取り出しを制限する。また、硬貨処理部１４は、本体正面に設けた硬貨入出金口１４ａと、本体内部に収納されている硬貨カートリッジと、の間に形成された硬貨搬送路に沿って硬貨を搬送する。また、硬貨処理部１４は、硬貨搬送路に沿って搬送している硬貨毎に、金種、および真偽を識別する硬貨識別部を有している。
【００２９】
カード・明細書処理部１５は、本体正面に設けたカード挿入口１５ａに挿入されたキャッシュカード（以下、単にカードと言う。）を取り込み、このカードの磁気ストライプに記録されているカード情報（金融機関番号、店舗番号、口座番号等）の読み取りや、カード情報の書き換え等を行う。また、挿入されたカードがＩＣカードである場合には、必要に応じて、そのカードのＩＣチップに記録されているデータの読み取りや、書き換えも行う。さらに、カード・明細書処理部１５は、取引内容を明細書に印字する印字部を有する。カード・明細書処理部１５は、取引内容を印字した明細書を本体正面に設けた明細書放出口１５ｂに放出する。
【００３０】
通帳処理部１６は、本体正面に設けた通帳挿入口１６ａに挿入された通帳を取り込み、この通帳に対して取引履歴を印字する印字部（不図示）を有している。また、通帳処理部１６は、取り込んだ通帳のページを捲るページ捲り機構や、通帳に印刷されているページ番号を示すバーコードを読み取るバーコードリーダ、通帳に貼付されている磁気ストライプに記録されている通帳情報（金融機関番号、店舗番号、口座番号等）を読み取る磁気ヘッド等も有している。
【００３１】
生体情報読取部１７は、本体正面に設けた指静脈読取ユニット（不図示）を有している。この指静脈読取ユニットは、載置された利用者の指から指静脈を読み取る。
【００３２】
扉開閉検知部１８は、表示器１２ａを取り付けた上部扉１８ａの開閉状態を検知する。上部扉１８ａは、図３に示すように、機器本体に対して上方にはね上げて開する。上部扉１８ａは、錠を取り付けている。したがって、該錠の鍵を所持していない者が上部扉１８ａを開閉することはできない。また、扉開閉検知部１８は、下部扉１８ｂの開閉状態も検知する。下部扉１８ｂも、錠を取り付けている。扉開閉検知部１８は、上部扉１８ａ、および下部扉１８ｂの開閉状態を、図示していないマイクロスイッチや光センサ等により個別に検知する。
【００３３】
なお、上部扉１８ａに対向する機器本体内側には、表示・操作部１２、カード・明細書処理部１５や通帳処理部１６が位置し、下部扉１８ｂに対向する機器本体内側には、紙幣処理部１３や、硬貨処理部１４等が位置する。また、図３では、ＡＴＭ１本体内部に位置する各部の図示を省略している。
【００３４】
報知部１９は、音声による報知を行う。例えば、係員や保守作業員等に対する案内通知を音声で行う。
【００３５】
通信部２０は、金融機関のセンタに設置されているホスト装置（不図示）等との間における通信を制御する。ホスト装置は、金融機関に開設されている口座を管理する。ホスト装置は、口座毎に、口座管理情報を記憶している。この口座管理情報には、口座番号、口座名義人の氏名、口座名義人の住所、口座名義人の電話番号、暗証番号、当該口座に対する取引履歴、現在の口座残高等が含まれている。
【００３６】
利用者は、金融機関に開設されている口座に対する入金取引や出金取引等の各種取引がＡＴＭ１で行える。ＡＴＭ１での入金取引や、出金取引等にかかる取引処理は公知であるので、ここでは簡単に説明する。
【００３７】
利用者は、表示・操作部１２で、表示器１２ａの案内画面を見ながら、取引の種別を選択する。また、利用者は、必要に応じて暗証番号の入力にかかる入力操作等を行う。また、カード挿入口１５ａへのカードの挿入や、通帳挿入口１６ａへの通帳の挿入等も、必要に応じて行う。さらに、利用者は、表示・操作部１２で、入金金額や出金金額等の入力にかかる入力操作を必要に応じて行う。このとき、ＡＴＭ１は、操作案内画面を表示器１２ａに表示し、利用者に対して入力操作の手順を案内する。
【００３８】
ＡＴＭ１は、今回選択された種別の取引を処理するのに必要な入力（暗証番号や出金金額等）、および媒体（カードや通帳や入金貨幣等）を受け付ける。また、カード・明細書処理部１５は、カード挿入口１５ａにカードが挿入されると、そのカードを取り込み、このカードに記録されているカード情報を読み取る。また、通帳処理部１６は、通帳挿入口１６ａに通帳が挿入されると、その通帳を取り込み、この通帳に貼付されている磁気ストライプに記録されている通帳情報を読み取る。
【００３９】
ＡＴＭ１は、通信部２０において、ホスト装置に対して、利用者が要求している取引の可否についての認証を要求する。このときＡＴＭ１は、取引対象の口座の口座番号、取引種別、取引金額、暗証番号等を含む取引の認証要求をホスト装置に送信する。ホスト装置は、ＡＴＭ１から送信されてきた取引の認証要求に含まれている、取引対象の口座の口座番号から該当する口座の口座管理情報を検索し、今回要求されている取引の可否について認証する。例えば、ホスト装置は、暗証番号が適正であるか、残高不足でないか（出金取引や、振替取引の場合）等を判断し、取引の可否を認証する。ホスト装置は、認証結果をＡＴＭ１に通知する。
【００４０】
ＡＴＭ１は、ホスト装置から取引可の通知を受信すると、今回要求された取引を処理し、取引結果をホスト装置に通知する。ホスト装置は、この通知に基づいて、口座管理情報を更新する。一方、ＡＴＭ１は、ホスト装置から取引不可の通知を受信すると、今回要求された取引を中止し、本処理を終了する。
【００４１】
次に、このＡＴＭ１の保守点検作業について説明する。
【００４２】
ＡＴＭ１の保守点検作業は、上部扉１８ａや、下部扉１８ｂを開して行う。ＡＴＭ１は、保守点検作業を開始するにあたり、保守作業員に識別コードの入力を要求する。例えば図６に示す識別コード入力画面を表示器１２ａに表示し、保守作業員に識別コードを入力させる。これは、保守点検作業を行う人物を確認（特定）するための処理である。
【００４３】
なお、識別コードの入力は、カード等の媒体を用いて行う構成としてもよい。この場合には、カード挿入口１５ａにカードを挿入すればよい。
【００４４】
保守点検作業では、保守作業員は、動作を点検する処理部（紙幣処理部１３、硬貨処理部１４、カード・明細書処理部１５、通帳処理部１６等）の選択や、選択した処理部のテスト動作の開始、点検完了等の入力操作を表示・操作部１２で行う。すなわち、このＡＴＭ１は、保守点検作業時に、保守作業員が機器本体に対して入力操作を行う操作部を特別に用意していない。
【００４５】
保守作業員は、上部扉１８ａや、下部扉１８ｂを開し、各部の動作（テスト動作）を目視で確認し、異常の有無や、調整の必要性等を判断する。図３に示すように、上部扉１８ａを開した状態では、保守作業員は、表示・操作部１２の表示器１２ａの画面を確認することができない。しかし、このＡＴＭ１は、扉開閉検知部１８が上部扉１８ａが開していることを検知すると、表示・操作部１２における機器本体に対する入力の種類を、以下のようにして判断する。
【００４６】
表示・操作部１２は、上部扉１８ａが開しているとき、タッチパネル１２ｂの押下位置が、最大で表示器１２ａの画面を縦方向に２分割、横方向に２分割した合計４つの領域のいずれであるかによって、機器本体に対する入力の種類を判断する。例えば、図７に示すように、タッチパネル１２ｂの押下位置が、表示器１２ａの画面を縦方向に２分割、横方向に２分割した４つの領域Ａ１〜Ａ４のいずれであるかを検知することにより、機器本体に対する入力の種別を判断する。また、図８に示すように、タッチパネル１２ｂの押下位置が、表示器１２ａの画面を縦方向に２分割した２つの領域Ａ１、Ａ２のいずれであるかを検知することにより、機器本体に対する入力の種別を判断する。また、図９示すように、タッチパネル１２ｂの押下位置が、表示器１２ａの画面を横方向に２分割した２つの領域Ａ１、Ａ２のいずれであるかを検知することにより、機器本体に対する入力の種別を判断する。さらには、図１０に示すように、表示器１２ａの画面を分割することなく（言い換えれば、表示器１２ａの画面全体を１つの領域Ａ１とする。）、タッチパネル１２ｂの押下の有無により、機器本体に対する入力の種別を判断する。
【００４７】
例えば、動作を点検する処理部（紙幣処理部１３、硬貨処理部１４、カード・明細書処理部１５、通帳処理部１６等）の選択時には、図７に示す４分割のパターンとし、タッチパネル１２ｂの押下位置が領域Ａ１であれば動作を点検する処理部として紙幣処理部１３が選択されたと判断する。また、タッチパネル１２ｂの押下位置が領域Ａ２であれば動作を点検する処理部として硬貨処理部１４が選択されたと判断する。また、タッチパネル１２ｂの押下位置が領域Ａ３であれば動作を点検する処理部としてカード・明細書処理部１５が選択されたと判断する。さらに、タッチパネル１２ｂの押下位置が領域Ａ４であれば動作を点検する処理部として通帳処理部１６が選択されたと判断する。
【００４８】
選択した処理部のテスト動作の開始、点検完了にかかる入力操作を受け付けるときには、図８や、図９に示した２分割のパターンで、タッチパネル１２ｂの押下位置が領域Ａ１であればテスト動作の開始にかかる入力操作であると判断する。また、タッチパネル１２ｂの押下位置が領域Ａ２であれば点検完了にかかる入力操作であると判断する。
【００４９】
さらに、選択した処理部のテスト動作を行っているときには、図１０に示すように、表示器１２ａの画面全体を１つの領域Ａ１とし、タッチパネル１２ｂが押下されたときに、実行しているテスト動作を停止する入力（緊急停止にかかる入力）と判断する。
【００５０】
このように、このＡＴＭ１は、上部扉１８ａが開状態であるとき、機器本体に対する入力操作の種類毎に、タッチパネル１２ｂにおける押下エリアを比較的大きく設定する。したがって、保守作業員は表示器１２ａの画面を確認しなくても、感覚的に操作できる。すなわち、保守作業員は、上部扉１８ａに取り付けられている表示器１２ａの画面が覗き込むことなく、保守点検作業にかかる操作が行える。
【００５１】
なお、図７〜図１０に図示するように、分割した領域毎にその領域に対応する入力操作の種類を、表示器１２ａの画面に表示しなくても特に問題はないが、便宜的に入力操作の種類を、表示器１２ａの画面に表示する構成としてもよい。
【００５２】
ここで、紙幣処理部１３の保守点検作業を例にして、保守作業員の操作手順を説明する。ＡＴＭ１は、上部扉１８ａ、および下部扉１８ｂが開している状態であり、表示・操作部１２は、図７に示す４分割のパターンで、動作を点検する処理部の選択を待つ。
【００５３】
保守作業員は、領域Ａ１を押下し、紙幣処理部１３を選択する。ＡＴＭ１は、表示・操作部１２が紙幣処理部１３を選択する入力操作を検知すると、報知部１９において、紙幣処理部１３が選択された旨を音声で報知する。これにより、保守作業員は、入力操作が正しく行えたかどうかについて確認できる。すなわち、保守作業員は、表示器１２ａの画面を覗き込まずに感覚的に操作（タッチパネル１２ｂの押下）していても、先の操作が適正に行えたかどうかについて、報知部１９における操作結果の報知により確認できる。
【００５４】
ＡＴＭ１は、動作を点検する処理部の選択を受け付けると、図８、または図９に示す２分割のパターンで、テスト動作の開始、または点検完了にかかる入力操作を待つ。
【００５５】
ＡＴＭ１は、保守作業員が領域Ａ１を押下し、表示・操作部１２がテスト動作の開始にかかる入力操作を検知すると、報知部１９においてテスト動作の開始にかかる入力操作が行われたことを音声で報知する。これにより、保守作業員は、テスト動作の開始にかかる入力操作が正しく行えたかどうかについて確認できる。
【００５６】
なお、ＡＴＭ１は、保守作業員が領域Ａ２を押下し、表示・操作部１２が点検完了にかかる入力操作を検知すると、上述した図７に示す４分割のパターンでの、動作を点検する処理部の選択待ちに戻る。この場合も、報知部１９が、今回検知した入力操作の種類を音声で報知する。
【００５７】
ＡＴＭ１は、テスト動作の開始にかかる入力操作を受け付けても、すぐにテスト動作を開始せず、表示・操作部１２が図１０に示すパターンで、テスト動作の緊急停止にかかる入力操作を待つ。すなわち、ＡＴＭ１は、表示・操作部１２がテスト動作の開始にかかる入力操作を検知してから一定時間（数秒）経過すると、テスト動作を開始する。これは、保守作業員が、誤ってテスト動作の開始にかかる入力操作を行った場合に、そのテスト動作を安全に取り消せるようにするためである。すなわち、保守作業員は、誤ってテスト動作の開始にかかる入力操作を行った場合、タッチパネル１２ｂを押下することによって、テスト動作の緊急停止にかかる入力操作を行うことで、そのテスト動作が開始される前に取り消すことができる。
【００５８】
ＡＴＭ１は、テスト動作を開始すると、このテスト動作が完了するまでの間、保守作業員によるテスト動作の緊急停止にかかる入力操作があるかどうかを監視する。保守作業員は、実行されているテスト動作を目視で確認し、異常の有無等を判断し、必要に応じてテスト動作の緊急停止にかかる入力操作を行う。
【００５９】
ＡＴＭ１は、表示・操作部１２がテスト動作の緊急停止にかかる入力操作を検知したときや、テスト動作が完了したときに、図８、または図９に示す２分割のパターンで、テスト動作の開始、または点検完了にかかる入力操作を待つ。
【００６０】
ＡＴＭ１は、表示・操作部１２が点検完了にかかる入力操作を検知すると、表示・操作部１２が図７に示す画面に戻り、動作を点検する処理部の選択を待つ。
【００６１】
なお、ＡＴＭ１は、上部扉１８ａ、および下部扉１８ｂが閉されたことを扉開閉検知部１８で検知すると、上述した利用者が取引処理を行う運用モードに戻る。
【００６２】
このように、このＡＴＭ１は、表示器１２ａが取り付けられている上部扉１８ａが開状態であるとき、機器本体に対する入力操作の種類毎に、タッチパネル１２ｂにおける押下エリアを比較的大きく設定し、保守作業員が表示器１２ａの画面を確認しなくても、感覚的に操作できる構成とした。したがって、保守作業員は、上部扉１８ａに取り付けられている表示器１２ａの画面が覗き込むことなく、保守点検作業にかかる操作が行えるので、該作業が煩雑にならない。また、ＡＴＭ１本体に特別なハードウェアを設けることなく、ソフトウェアで対応できるので、ＡＴＭ１本体のコストアップも十分に抑えられる。
【００６３】
また、上記の例では、機器本体に対する入力操作の種類を、タッチパネル１２ｂにおける押下エリアで判断するとしたが、所定時間（例えば、１秒）の間に、タッチパネル１２ｂが何回押下されたかにより判断する構成としてもよい。例えば、動作を点検する処理部の選択時には、タッチパネル１２ｂが所定時間内に押下された回数が、１回であれば紙幣処理部１３、２回であれば硬貨処理部１４、３回であればカード・明細書処理部１５、４回であれば通帳処理部１６、が選択されたと判断する構成としてもよい。また、テスト動作の開始、または点検完了にかかる入力操作を待つときには、タッチパネル１２ｂが所定時間内に押下された回数が、１回であればテスト動作の開始、２回であれば点検完了であると判断すればよい。この場合には、図１０に示すように、表示器１２ａの画面全体を１つの領域Ａ１とすればよい。
【００６４】
また、上記の例では、表示・操作部１２は、上部扉１８ａが開しているとき、タッチパネル１２ｂの押下位置が、最大で表示器１２ａの画面を縦方向に２分割、横方向に２分割した合計４つの領域のいずれであるかによって、機器本体に対する入力の種類を判断するとしたが、表示器１２ａの画面全体を５つ以上に分割したいずれの領域であるかを検知することにより、機器本体に対する入力の種類を判断する構成としてもよい。
【００６５】
なお、上記実施形態ではＡＴＭ１を例にして本願発明を説明したが、本願発明は、操作者による機器本体に対する入力を、表示器１２ａの画面上に貼付したタッチパネル１２ｂで検知する他の自動機（例えば、両替機や精算機）にも適用できる。
【符号の説明】
【００６６】
１…現金自動預け払い機（ＡＴＭ）
１１…主制御部
１２…表示・操作部
１２ａ…表示器
１２ｂ…タッチパネル
１３…紙幣処理部
１３ａ…紙幣入出金口
１４…硬貨処理部
１４ａ…硬貨入出金口
１５…カード・明細書処理部
１５ａ…カード挿入口
１５ｂ…明細書放出口
１６…通帳処理部
１６ａ…通帳挿入口
１７…生体情報読取部
１８…扉開閉検知部
１８ａ…上部扉
１８ｂ…下部扉
１９…報知部
２０…通信部
【図１】
2011258116.tif 000003
【図２】
2011258116.tif 000004
【図３】
2011258116.tif 000005
【図４】
2011258116.tif 000006
【図５】
2011258116.tif 000007
【図６】
2011258116.tif 000008
【図７】
2011258116.tif 000009
【図８】
2011258116.tif 000010
【図９】
2011258116.tif 000011
【図１０】
2011258116.tif 000012